(57)【要約】【課題】プロジェクターの投写画像に対して、二人がそれぞれ電子ペンにより描画などを行うとき、互いの描画像を覗き見されることを防止する。【解決手段】プロジェクターシステム１００は、画像を投写するプロジェクター１と、プロジェクター１を吊り下げながら支持する支持装置５０とを有して構成され、支持装置５０は、スクリーンＳＣに略直交するように垂れ下がって、スクリーンＳＣを左右に区切る区切幕５５と、区切幕５５を巻き取りながら収納する区切幕収納部５３とを備える。【選択図】図１
2015052630.tif 000002
【特許請求の範囲】
【請求項１】
画像を投写面に投写するプロジェクターを支持するための支持装置であって、
前記投写面の左右中央部で前記投写面に略直交する区切幕と、
前記区切幕を巻き取りながら収納する区切幕収納部と、
を備えたことを特徴とするプロジェクターの支持装置。
【請求項２】
請求項１に記載の支持装置と、画像を投写面に投写するプロジェクターと、
を備えることを特徴とするプロジェクターシステム。
【請求項３】
請求項２に記載のプロジェクターシステムであって、
前記プロジェクターは、投写画像のうち前記区切幕に対応する位置から左右所定の範囲をマスクして投写することを特徴とするプロジェクターシステム。
【請求項４】
請求項２に記載のプロジェクターシステムであって、
前記プロジェクターは、投写画像のうち、前記区切幕で区切られる左右二つの画像をそれぞれ水平方向外側に縮小して投写することを特徴とするプロジェクターシステム。
【請求項５】
請求項２に記載のプロジェクターシステムであって、
前記支持装置は、前記区切幕が前記区切幕収納部に収納されているか否かを検出する収納検出手段をさらに備え、
前記プロジェクターは、前記収納検出手段により、前記区切幕が前記区切幕収納部より引き出されていることが検出された場合に、投写画像に所定の区切り処理を行うことを特徴とするプロジェクターシステム。
【請求項６】
画像を投写面に投写するプロジェクターと、
当該プロジェクターを支持し、前記投写面の左右中央部で前記投写面に略直交する区切幕と、前記区切幕を巻き取りながら収納する区切幕収納部とを有する支持装置、とを備えるプロジェクターシステムの制御方法であって、
前記区切幕が前記区切幕収納部に収納されているか否かを検出する収納検出ステップと、
前記収納検出ステップにより、前記区切幕が前記区切幕収納部より引き出されていることが検出された場合に、投写画像に所定の区切り処理を行う制御ステップと、
を有することを特徴とするプロジェクターシステムの制御方法。
【発明の詳細な説明】
【技術分野】
【０００１】
本発明は、画像を投写するプロジェクターを支持する支持装置、およびプロジェクターと支持装置を有するプロジェクターステム、およびプロジェクターシステムの制御方法に関する。
【背景技術】
【０００２】
学校の授業やプレゼンテーションなどで、プロジェクターにより投写した画像に文字や図形を書きこんで説明したいことがある。この場合、画像データを入力するパーソナルコンピューター（パソコン）の画面上でマウスなどのポインディングデバイスを操作し、文字や図形を入力する方法がある。なお、特許文献１では、スクリーン上に投写した画像上で電子ペン（ペン型の入力装置）を操作し、文字や図形を書きこむ電子黒板システムが開示されている。
【先行技術文献】
【特許文献】
【０００３】
【特許文献１】特開２０１１−１４０１５４号公報
【発明の概要】
【発明が解決しようとする課題】
【０００４】
しかしながら、特許文献１の電子黒板システムを用いて、例えば、二本の電子ペンを使い、二人が投写画像に対してそれぞれ描画する場合、互いの描画像を覗き見することができてしまう。そのため、例えば、学校の授業などで、投写された問題の答えを二人がそれぞれ描画（記入）するような場合、相手の描画像に影響されてしまう虞があった。また、２台のプロジェクターを用意し、間隔を開けて設置する方法も考えられるが、プロジェクターが２台必要となり、費用がかかるという問題があった。
従って、プロジェクターの投写画像に対して、二人がそれぞれ電子ペンにより描画などを行うとき、互いの描画像を覗き見されることを防止するプロジェクターの支持装置、プロジェクターシステム、およびプロジェクターシステムの制御方法が要望されていた。
【課題を解決するための手段】
【０００５】
本発明は、上述した課題の少なくとも一部を解決するためになされたものであり、以下の形態または適用例として実現することが可能である。
【０００６】
［適用例１］本適用例に係るプロジェクターの支持装置は、画像を投写面に投写するプロジェクターを支持するための支持装置であって、前記投写面の左右中央部で前記投写面に略直交する区切幕と、前記区切幕を巻き取りながら収納する区切幕収納部と、を備えたことを特徴とする。
【０００７】
本適用例によれば、プロジェクターの支持装置に備えられた、投写面の左右中央部で投写面と略直交する区切幕により、プロジェクターの投写画像を左右に区切ることができる。これにより、二人のユーザーがそれぞれ電子ペンによる描画（以降、ペン描画と呼称する）などを行う場合に、区切幕により投写画像が左右に区切られるため、互いの描画像を覗き見されることを防止できる。
【０００８】
［適用例２］本適用例に係るプロジェクターシステムは、上記適用例１に記載のプロジェクターの支持装置と、画像を投写面に投写するプロジェクターと、を備えることを特徴とする。
【０００９】
本適用例によれば、プロジェクターの支持装置に備えられた、投写面の左右中央部で投写面と略直交する区切幕により、プロジェクターの投写画像を左右に区切る。これにより、二人のユーザーがそれぞれペン描画などを行う場合に、区切幕により投写画像が左右に区切られるため、互いの描画像を覗き見されることを防止できる。
【００１０】
［適用例３］上記適用例に記載のプロジェクターシステムにおいて、前記プロジェクターは、投写画像のうち前記区切幕に対応する位置から左右方向の所定の範囲をマスクして投写することが好ましい。
【００１１】
本適用例によれば、支持装置に備えられた区切幕によって投写画像を左右に区切る時、区切幕に対応する位置の左右方向の所定の範囲がマスクされるので、区切幕および区切幕のたるみや動揺が、投写画像に影として映り込むことを防止することができる。
【００１２】
［適用例４］上記適用例に記載のプロジェクターシステムにおいて、前記プロジェクターは、投写画像のうち、前記区切幕で区切られる左右二つの画像をそれぞれ水平方向外側に縮小して投写することが好ましい。
【００１３】
本適用例によれば、支持装置に備えられた区切幕によって投写画像を左右に区切る時、左右二つの画像をそれぞれ水平方向外側に縮小するので、投写面中央で区切幕に遮られて一部の画像が投写されなくなることを避けることができる。
【００１４】
［適用例５］上記適用例に記載のプロジェクターシステムにおいて、前記支持装置は、前記区切幕が前記区切幕収納部に収納されているか否かを検出する収納検出手段をさらに備え、前記プロジェクターは、前記収納検出手段により、前記区切幕が前記区切幕収納部より引き出されていることが検出された場合に、投写画像に所定の区切り処理を行うことが好ましい。
【００１５】
本適用例によれば、区切幕が区切幕収納部から引き出されたことを検出し、投写画像に所定の区切り処理を行う。これにより、例えば、ユーザーが区切幕を引き出して投写面を区切るだけで、所定の区切り処理をプロジェクターに行わせることが可能となり、プロジェクターシステムの利便性が向上する。
【００１６】
［適用例６］本適用例に係るプロジェクターの制御方法は、画像を投写面に投写するプロジェクターと、当該プロジェクターを支持し、前記投写面の左右中央部で前記投写面に略直交する区切幕と、前記区切幕を巻き取りながら収納する区切幕収納部とを有する支持装置、とを備えるプロジェクターシステムの制御方法であって、前記区切幕が前記区切幕収納部に収納されているか否かを検出する収納検出ステップと、前記収納検出ステップにより、前記区切幕が前記区切幕収納部より引き出されていることが検出された場合に、投写画像に所定の区切り処理を行う制御ステップと、を有することを特徴とする。
【００１７】
本適用例によれば、収納検出ステップで、プロジェクターを支持する支持装置に備えられた区切幕収納部から区切幕が引き出されたことを検出し、制御ステップで、投写画像に所定の区切り処理を行う。これにより、例えば、ユーザーが区切幕を引き出して投写面を区切るだけで、所定の区切り処理をプロジェクターに行わせることが可能となる。
【図面の簡単な説明】
【００１８】
【図１】実施形態に係るプロジェクターシステムの使用状態を示す図。
【図２】プロジェクターシステムの設置状態を示す図。
【図３】プロジェクターシステムの回路構成を示すブロック図。
【図４】プロジェクターの区切投写を示す図。
【図５】プロジェクターの区切幕収納状態監視動作を示すフローチャート。
【発明を実施するための形態】
【００１９】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２０】
（実施形態）
図１は、実施形態に係るプロジェクターシステム１００の使用状態を示す図である。
図１に示すように、プロジェクターシステム１００は、プロジェクター１と、支持装置５０とを有して構成される。支持装置５０は、壁面取付部５１によりスクリーンＳＣ上部の壁面に固定され、アーム５２がプロジェクター１を吊り下げながら支持している。アーム５２の下部には区切幕収納部５３が備えられ、巻き取られた区切幕５５が収納される。区切幕５５は、区切幕収納部５３から引き出され、スクリーンＳＣに略直交するように垂れ下がって、スクリーンＳＣを左右に区切る。投写画像ＧＰは区切幕５５によって左右二つの投写画像ＧＰ１，ＧＰ２に区切られ、二人のユーザーＨ１，Ｈ２は投写画像ＧＰ１，ＧＰ２上にそれぞれ、電子ペン４０によって描画する。プロジェクター１は、後述するペン操作検出手段２６（図３参照）によりそれぞれの電子ペン４０が指し示す位置などの操作情報を検出する。そしてプロジェクター１は、それぞれの電子ペン４０の描画操作に基づく描画データを画像情報に合成し、投写面（スクリーンＳＣ）に投写する。
図１に示すように、ユーザーＨ１，Ｈ２は区切幕５５によって相手側の投写画像を覗き見することができないようになっている。
【００２１】
図２は、本実施形態のプロジェクターシステム１００の設置状態を示す図であり、同図（ａ）は上面図、同図（ｂ）は側面図である。
図２に示すように、支持装置５０は、壁面取付部５１、アーム５２、区切幕収納部５３、区切幕５５等により構成されている。支持装置５０は、壁面取付部５１により、壁面Ｗに取り付けられ、壁面取付部５１から延びているアーム５２は、プロジェクター１を吊り下げながら支持している。また、アーム５２の下部に備えられた区切幕収納部５３からは区切幕５５が引出可能に備えられている。プロジェクター１の投写画像は区切幕５５によって左右に区切られてスクリーンＳＣに投写される。また、区切幕収納部５３の近傍には、図示しない収納検出手段５４が備えられている。
【００２２】
図３は、本実施形態のプロジェクターシステム１００の回路構成を示すブロック図である。
図３に示すように、プロジェクターシステム１００は、プロジェクター１と、支持装置５０とを備えて構成される。
支持装置５０は、区切幕収納部５３、収納検出手段５４と、を備えて構成される。なお壁面取付部５１、アーム５２については図１、および図２で説明したので図３では省略する。
【００２３】
プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、通信手段２５、電源端子３０、電源部３１等で構成されており、これらはプロジェクター１の筐体の内部または外面に配置されている。
【００２４】
区切幕収納部５３は図示しないスプリング、巻取軸、収納ケース等からなる巻取構造を備えており、区切幕５５をロールカーテン状に巻き取りながら収納する。
【００２５】
収納検出手段５４はメカニカルスイッチ等で構成され、区切幕収納部５３に区切幕５５が完全に収納されているか否かを検出し、図示しないケーブル等を介してプロジェクター１の通信手段２５に検出結果を通知する。
【００２６】
画像投写手段１０は、光源１１、３つの液晶ライトバルブ１２Ｒ，１２Ｇ，１２Ｂ、投写レンズ１３、液晶駆動手段１４等を備えている。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ対応する液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
【００２９】
液晶駆動手段１４が、入力される画像データに応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写され投写画像となる。
【００３０】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００３１】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３２】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００３３】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では、投写画像を区切って投写するための区切投写設定情報２１１が保存される。なお、区切って投写することを、以降、区切投写と呼称する。
【００３４】
図４を用いて画像の区切投写を説明する。図４は区切投写を説明するための図であり、同図（ａ）は投写画像が区切られていないときの投写（通常投写）時の投写画像、同図（ｂ）は投写画像を中央のマスク画像により区切ったときの投写画像、同図（ｃ）は投写画像を中央から水平方向外側に縮小することで区切ったときの投写画像、を示す図である。
【００３５】
図４（ａ）に示すように、通常投写時において、投写画像ＧＰはスクリーンＳＣ全体に投写される。
【００３６】
図４（ｂ），（ｃ）に示すように、本実施形態の区切投写における投写画像の区切り方には、２つある。１つは、図４（ｂ）に示す、投写画像ＧＰの左右中央にマスク画像ＭＰを重畳することにより区切る方法であり、もう１つは、図４（ｃ）に示す、投写画像ＧＰの中央から水平方向外側に縮小することにより区切る方法である。
【００３７】
図４（ｂ）に示すように、投写画像ＧＰの左右中央にマスク画像ＭＰを重畳することにより、投写画像ＧＰは二つに区切られ、投写画像ＧＰ１，ＧＰ２として投写（区切投写）される。このとき、スクリーンＳＣの中央付近の画像はマスク画像ＭＰによりマスクされる。
【００３８】
図４（ｃ）に示すように、投写画像ＧＰを中央から水平方向外側に縮小することにより、投写画像ＧＰは二つに区切られ、投写画像ＧＰ１，ＧＰ２として投写（区切投写）される。投写画像ＧＰ１，ＧＰ２の間には空白領域ＳＰが設定される。図４（ｂ）に示した例とは異なり、スクリーンＳＣの中央付近の画像も投写画像ＧＰ１，ＧＰ２に分けられて投写される。
ここで、中央から水平方向外側に縮小する、とは中央から左側の画像に対しては左端部を基準に所定の割合で縮小し、中央から右側の画像に対しては右端部を基準に所定の割合で縮小する、ことを言う。
投写画像の区切投写を行う場合、図４（ｂ）または図４（ｃ）に示すような２つの区切投写の方法が区切投写設定情報２１１に保存される。
【００３９】
図３に戻って、入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。
【００４０】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
【００４１】
光源制御手段２２は、制御手段２０の指示に基づいて、光源１１に対する電力の供給と停止とを制御し、光源１１の点灯、および消灯を切り替える。
【００４２】
通信手段２５は、制御手段２０の指示に基づき、支持装置５０の収納検出手段５４と通信し、区切幕収納部５３に区切幕５５が収納されているか否かの検出結果を受け付け、制御手段２０に通知する。
【００４３】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００４４】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像データに変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００４５】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像データを記憶している。
【００４６】
制御手段２０が、ＯＳＤ画像の重畳表示を指示すると、ＯＳＤ処理手段１６は、必要なＯＳＤ画像データをＯＳＤメモリーから読み出し、投写画像上の所定の位置にＯＳＤ画像が重畳されるように、画像信号処理手段１７から入力される画像データにこのＯＳＤ画像データを合成する。ＯＳＤ画像情報が合成された画像データは、液晶駆動手段１４に出力される。
なお、制御手段２０からＯＳＤ画像を重畳する旨の指示がない場合には、ＯＳＤ処理手段１６は、画像信号処理手段１７から入力される画像データを、そのまま液晶駆動手段１４に出力する。
【００４７】
液晶駆動手段１４が、ＯＳＤ処理手段１６より入力される画像データに従って液晶ライトバルブ１２Ｒ，１２Ｇ，１２Ｂを駆動すると、画像データに応じた画像光が投写レンズ１３より投写され、スクリーンＳＣの投写面に投写画像が表示される。
【００４８】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４９】
ペン操作検出手段２６は、図示しない撮像素子などで構成され、制御手段２０の指示に基づいて、複数の電子ペン４０それぞれの操作位置（座標）、スイッチの押下状態などのペン操作状態を検出し、検出したペン操作情報を制御手段２０に通知する。
【００５０】
次に、本実施形態のプロジェクター１の動作を図５のフローチャートを用いて説明する。図５はプロジェクター１の区切幕収納状態の監視動作を示すフローチャートである。
図５に示すように、プロジェクター１の区切幕収納状態の監視動作を開始すると（ステップＳ１００）、制御手段２０は、通信手段２５に指示し、収納検出手段５４による区切幕５５の収納検出状態を取得し（ステップＳ１０１）、ステップＳ１０２に遷移する。ステップＳ１０１が収納検出ステップに相当する。
【００５１】
ステップＳ１０２において、制御手段２０は、ステップＳ１０１での取得結果に基づき、区切幕５５が区切幕収納部５３から引き出されているか否かを調べる。区切幕５５が区切幕収納部５３から引き出されている場合（ステップＳ１０２：Ｙ）には、ステップＳ１０３に遷移する。区切幕５５が区切幕収納部５３に収納されている場合（ステップＳ１０２：Ｎ）には、ステップＳ１０５に遷移する。
【００５２】
ステップＳ１０３において、制御手段２０は、現在、区切投写中か否かを調べる。区切投写中の場合（ステップＳ１０３：Ｙ）には、ステップＳ１１０に遷移する。区切投写中でない、即ち通常投写中の場合（ステップＳ１０３：Ｎ）には、ステップＳ１０４に遷移する。
【００５３】
ステップＳ１０４において、制御手段２０は、区切投写設定情報２１１の設定に基づき、画像を区切投写（図４（ｂ）または図４（ｃ）参照）させ、ステップＳ１１０に遷移する。ステップＳ１０３およびステップＳ１０４が制御ステップに相当する。
【００５４】
ステップＳ１０５において、制御手段２０は、現在、通常投写中か否かを調べる。通常投写中の場合（ステップＳ１０５：Ｙ）には、ステップＳ１１０に遷移する。通常投写中でない、即ち区切投写中の場合（ステップＳ１０５：Ｎ）には、ステップＳ１０６に遷移する。
【００５５】
ステップＳ１０６において、制御手段２０は、画像を通常投写（図４（ａ）参照）させ、ステップＳ１１０に遷移する。
【００５６】
ステップＳ１１０において、本動作フローを終了する。
【００５７】
上述した実施形態によれば、以下の効果を得られる。
本実施形態のプロジェクターシステム１００によれば、プロジェクター１を支持する支持装置５０に備えられた、スクリーンＳＣの左右中央部でスクリーンＳＣと略直交する区切幕５５により、プロジェクター１の投写画像ＧＰを左右に区切ることができる。これにより、二人のユーザーがそれぞれペン描画などを行う場合に、区切幕５５により投写画像ＧＰが左右に投写画像ＧＰ１，ＧＰ２として区切られるため、互いの描画像を覗き見されることを防止できる。
【００５８】
また、支持装置５０に備えられた区切幕５５によって投写画像ＧＰを左右に区切る時、区切幕５５に対応する位置の左右の所定範囲がマスクされるので、区切幕５５および区切幕５５のたるみや動揺が、投写画像ＧＰ１，ＧＰ２に影として映り込むことを防止することができる。
【００５９】
また、支持装置５０に備えられた区切幕５５によって投写画像ＧＰを左右に区切る時、左右二つの画像をそれぞれ水平方向外側に縮小するので、スクリーンＳＣの中央で区切幕５５に遮られて一部の画像が投写されなくなることを避けることができる。
【００６０】
また、区切幕５５が区切幕収納部５３から引き出されたことを検出し、投写画像ＧＰに所定の区切り処理を行う。これにより、二人のユーザーが投写画像ＧＰにそれぞれペン描画する場合などに、区切幕５５を引き出してスクリーンＳＣを区切るだけで、プロジェクター１に所定の区切り処理を行わせることが可能となり、プロジェクターシステム１００の利便性が向上する。
【００６１】
また、上記実施形態は、以下のように変更してもよい。
（変形例１）
上述した実施形態において、二つに区切られた投写画像ＧＰ１，ＧＰ２を水平方向に縮小する際、元の画像の縦横比を維持するために垂直方向も縮小するようにしてもよい。
【００６２】
（変形例２）
上述した実施形態において、投写画像ＧＰを二つに区切る際、同じ画像を左右に投写させるようにしてもよい。具体的には元の投写画像ＧＰを縮小し、投写画像ＧＰ１，ＧＰ２それぞれに投写させる。これにより、同じ問題文を左右の投写画像ＧＰ１，ＧＰ２に投写させ、電子ペン４０により、答えを記述させることができる。
【符号の説明】
【００６３】
１００…プロジェクターシステム、５０…支持装置、５１…壁面取付部、５２…アーム、５３…区切幕収納部、５４…収納検出手段、５５…区切幕、１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２１１…区切投写設定情報、２２…光源制御手段、２３…入力操作手段、２５…通信手段、２６…ペン操作検出手段、３０…電源端子、３１…電源部、４０…電子ペン、ＧＰ，ＧＰ１，ＧＰ２…投写画像、ＳＣ…スクリーン。
【図１】
2015052630.tif 000003
【図２】
2015052630.tif 000004
【図３】
2015052630.tif 000005
【図４】
2015052630.tif 000006
【図５】
2015052630.tif 000007